【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
本発光としての第１の発光工程と、
前記第１の発行工程に先立ち行われる予備発光としての第２の発光工程と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、
前記ばらつき度算出工程による算出結果に応じて前記第１の発光工程の発光量を決定する演算に用いる演算領域を変更する演算領域変更工程と、を有することを特徴とする撮像装置の制御方法。
【請求項２】
本発光としての第１の発光工程と、
前記第１の発行工程に先立ち行われる予備発光としての第２の発光工程と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、
前記ばらつき度算出工程による算出結果に応じて前記閃光発光手段の本発光量を決定する演算に用いる演算領域に対する重み付けを変更する演算領域変更工程と、を有することを特徴とする撮像装置の制御方法。
【請求項３】
本発光としての第１の発光工程と、
前記第１の発行工程に先立ち行われる予備発光としての第２の発光工程と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、
前記ばらつき度算出工程による算出結果に応じて前記閃光発光手段の本発光量を決定する演本発光量決定工程と、を有することを特徴とする撮像装置の制御方法。
【請求項４】
本発光としての第１の発光手段と、
前記第１の発行工程に先立ち行われる予備発光としての第２の発光手段と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、
前記ばらつき度算出手段による算出結果に応じて前記第１の発光手段の発光量を決定する演算に用いる演算領域を変更する演算領域変更手段と、を有することを特徴とする撮像装置。
【請求項５】
本発光としての第１の発光手段と、
前記第１の発行工程に先立ち行われる予備発光としての第２の発光手段と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、
前記ばらつき度算出手段による算出結果に応じて前記閃光発光手段の本発光量を決定する演算に用いる演算領域に対する重み付けを変更する演算領域変更手段と、を有することを特徴とする撮像装置。
【請求項６】
本発光としての第１の発光手段と、
前記第１の発行工程に先立ち行われる予備発光としての第２の発光手段と、
非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、
前記ばらつき度算出手段による算出結果に応じて前記閃光発光手段の本発光量を決定する演本発光量決定手段と、を有することを特徴とする撮像装置。
【請求項７】
請求項１乃至３のいずれか１項に記載の撮像装置の制御方法を実現するためのコンピュータ読み取り可能なプログラムコードを有することを特徴とするプログラム。
【請求項８】
請求項１乃至３のいずれか１項に記載の撮像装置の制御方法を実現するためのコンピュータ読み取り可能なプログラムコードを保持することを特徴とする記憶媒体。
【手続補正２】
【補正対象書類名】明細書
【補正対象項目名】発明の名称
【補正方法】変更
【補正の内容】
【発明の名称】撮像装置及びその制御方法、並びにプログラム及び記憶媒体
【手続補正３】
【補正対象書類名】明細書
【補正対象項目名】０００１
【補正方法】変更
【補正の内容】
【０００１】
本発明は、カメラ、デジタルスチルカメラ等の撮像装置及びその制御方法、並びにプログラム及び記憶媒体に関する。
【手続補正４】
【補正対象書類名】明細書
【補正対象項目名】００１１
【補正方法】変更
【補正の内容】
【００１１】
そこで、本発明は、撮影画面内の奥行き変化に関わらず、フラッシュ発光量を適正とすることができる、撮像装置及びその制御方法、並びにプログラム及び記憶媒体を提供することを目的とする。
【手続補正５】
【補正対象書類名】明細書
【補正対象項目名】００１２
【補正方法】変更
【補正の内容】
【００１２】
上記目的を達成するために、請求項１記載の撮像装置の制御方法は、本発光としての第１の発光工程と、前記第１の発行工程に先立ち行われる予備発光としての第２の発光工程と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、前記ばらつき度算出工程による算出結果に応じて前記第１の発光工程の発光量を決定する演算に用いる演算領域を変更する演算領域変更工程と、を有することを特徴とする。
【手続補正６】
【補正対象書類名】明細書
【補正対象項目名】００１３
【補正方法】変更
【補正の内容】
【００１３】
また、上記目的を達成するために、請求項２記載の撮像装置の制御方法は、本発光としての第１の発光工程と、前記第１の発行工程に先立ち行われる予備発光としての第２の発光工程と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、前記ばらつき度算出工程による算出結果に応じて前記閃光発光手段の本発光量を決定する演算に用いる演算領域に対する重み付けを変更する演算領域変更工程と、を有することを特徴とする。
【手続補正７】
【補正対象書類名】明細書
【補正対象項目名】００１４
【補正方法】変更
【補正の内容】
【００１４】
また、上記目的を達成するために、請求項３記載の撮像装置の制御方法は、本発光としての第１の発光工程と、前記第１の発行工程に先立ち行われる予備発光としての第２の発光工程と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出工程と、前記ばらつき度算出工程による算出結果に応じて前記閃光発光手段の本発光量を決定する演本発光量決定工程と、を有することを特徴とする。
【手続補正８】
【補正対象書類名】明細書
【補正対象項目名】００１５
【補正方法】変更
【補正の内容】
【００１５】
また、上記目的を達成するために、請求項４記載の撮像装置は、本発光としての第１の発光手段と、前記第１の発行工程に先立ち行われる予備発光としての第２の発光手段と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、前記ばらつき度算出手段による算出結果に応じて前記第１の発光手段の発光量を決定する演算に用いる演算領域を変更する演算領域変更手段と、を有することを特徴とする。
【手続補正９】
【補正対象書類名】明細書
【補正対象項目名】００１６
【補正方法】変更
【補正の内容】
【００１６】
また、上記目的を達成するために、請求項５記載の撮像装置は、本発光としての第１の発光手段と、前記第１の発行工程に先立ち行われる予備発光としての第２の発光手段と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、前記ばらつき度算出手段による算出結果に応じて前記閃光発光手段の本発光量を決定する演算に用いる演算領域に対する重み付けを変更する演算領域変更手段と、を有することを特徴とする。
【手続補正１０】
【補正対象書類名】明細書
【補正対象項目名】００１７
【補正方法】変更
【補正の内容】
【００１７】
また、上記目的を達成するために、請求項６記載の撮像装置は、本発光としての第１の発光手段と、前記第１の発行工程に先立ち行われる予備発光としての第２の発光手段と、非発光状態での撮像画面各部を測光することによって得られる輝度情報と前記予備発光時の前記撮像画面各部を測光することによって得られる輝度情報に基づき前記撮像画面各部の被写体輝度情報のばらつき度を算出するばらつき度算出手段と、前記ばらつき度算出手段による算出結果に応じて前記閃光発光手段の本発光量を決定する演本発光量決定手段と、を有することを特徴とする。
【手続補正１１】
【補正対象書類名】明細書
【補正対象項目名】００１８
【補正方法】変更
【補正の内容】
【００１８】
また、上記目的を達成するために、請求項７記載のプログラムは、請求項１乃至３のいずれか１項に記載の撮像装置の制御方法を実現するためのコンピュータ読み取り可能なプログラムコードを有することを特徴とする。
【手続補正１２】
【補正対象書類名】明細書
【補正対象項目名】００１９
【補正方法】変更
【補正の内容】
【００１９】
また、上記目的を達成するために、請求項８記載の記憶媒体は、請求項１乃至３のいずれか１項に記載の撮像装置の制御方法を実現するためのコンピュータ読み取り可能なプログラムコードを保持することを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２２
【補正方法】変更
【補正の内容】
【００２２】
以下、本発明を図面を参照しながら説明する。
【手続補正１５】
【補正対象書類名】明細書
【補正対象項目名】００６０
【補正方法】変更
【補正の内容】
【００６０】
Ｆmean＝{ΣF（ｎ）}／３５  …  （３）
但し、ｎ＝１〜３５
次に、Ｆ（ｎ）のばらつき度Ｄ（Ｆ）を下記式（４）により演算する。